(57)【要約】【課題】警報に至るまでの段階で、ガス検出の状態、流量に応じた換気量で換気を行うことを目的とする。【解決手段】警報器７が作動したとき検出信号受信手段５により警報器７からの検出レベルを入力し、同時に流量検出手段４から流量を検出し、入力した検出レベルと検出した流量に基づいて予め定めた関係より換気手段１４の換気量を決定し、決定した換気量を換気信号送信手段６から換気信号受信手段１２へ送信し、換気手段１４を決定した換気量で動作させる。【選択図】図１
2008232584.tif 000002
【特許請求の範囲】
【請求項１】
換気信号受信手段からの出力によって換気手段の換気量を制御する換気扇制御手段を備えた換気扇と、ガスを検出する検出手段と複数の検出閾値を備えるとともに検出レベルがそれぞれの閾値以上あるいは閾値未満になるとレベルに応じた信号を出力する検出信号送信手段を備えた警報器と、ガスの供給や遮断を行う遮断手段と、前記警報器からの信号を入力する検出信号受信手段と、前記検出信号受信手段からの出力信号を処理する制御手段と、前記換気扇に信号を出力する換気信号送信手段と、流量を検出する流量検出手段を備えるとともに、前記制御手段は、前記検出信号受信手段からの出力を入力すると前記換気信号送信手段に信号を出力し、前記換気扇を動作させることを特徴とする、換気扇連動ガス遮断装置。
【請求項２】
制御手段は、前記検出信号受信手段からの出力信号に応じて前記換気扇の換気量を決定し、前記換気信号送信手段に信号を出力し、前記換気扇の換気量を切り換える事を特徴とする、請求項１記載の換気扇連動ガス遮断装置。
【請求項３】
制御手段は、前記検出信号受信手段からの出力信号に応じて前記換気扇の換気量を仮決定するとともに、前記流量検出手段により検出した流量が所定値以上の場合には仮決定したものよりも増やした換気量を本決定し、前記換気信号送信手段に信号を出力して、前記換気扇の換気量を切り換える事を特徴とする、請求項１または請求項２記載の換気扇連動ガス遮断装置。
【請求項４】
制御手段は、前記検出信号受信手段からの出力信号が警報レベルの場合には前記遮断手段に信号を出力しガスを遮断するとともに、前記換気信号送信手段に信号を出力し、前記換気扇を最大換気量で動作させる事を特徴とする、請求項１から請求項３のいずれか１項に記載の換気扇連動ガス遮断装置。
【請求項５】
制御手段は、ガス遮断以降に前記検出信号受信手段からの出力信号が換気扇停止レベルになるまでは前記換気信号送信手段に信号を出力せず、前記検出信号受信手段からの出力信号が換気扇停止レベルの場合には前記換気信号送信手段に信号を出力し前記換気扇を停止させる事を特徴とする、請求項１から請求項４のいずれか１項に記載の換気扇連動ガス遮断装置。
【請求項６】
請求項１から請求項５のいずれか１項に記載の換気扇連動ガス遮断装置の全てもしくは一部として、コンピュータを機能させるプログラム。
【発明の詳細な説明】
【技術分野】
【０００１】
本発明は、警報器の検出レベルに連動してガス遮断や換気を行う換気扇連動ガス遮断装置に関するものである。
【背景技術】
【０００２】
従来、この種の換気扇連動ガス遮断装置は、警報器の出力により換気扇を動作させるとともに、ガスを遮断するようにしている（例えば特許文献１参照）。
【０００３】
図９は、前記公報に記載された従来の換気扇連動ガス遮断装置を示すものである。図９に示すように、ガスを検出したときに警報を行う警報器７と、換気を行う換気扇１１と、ガス遮断装置１から構成されている。なお、図中９はガスを検知する検知手段、１０は警報を出力する警報出力手段、１５は換気扇の動作を選択する動作選択手段、１４は換気を行う換気手段である。
【特許文献１】特開平６−２４１５１４号公報
【発明の開示】
【発明が解決しようとする課題】
【０００４】
しかしながら、前記従来例の構成では、警報が出力されるまでは換気を行わないようになっているため、警報器はガスの特性を考慮した場所に設置されていても、設置されている部屋の環境、例えば家具の配置などによりガスの分布は異なり、そのために場所によっては高濃度の箇所もあり、危険な状態になることもあるという課題を有していた。
【０００５】
本発明は、前記従来の課題を解決するもので、複数の検出閾値を有する警報器を用いて警報に至るまでの段階で換気扇を動作させ、流量検出手段からの出力信号により、大流量の場合には換気量を上げる構成とした換気扇連動ガス遮断装置を提供することを目的とする。
【課題を解決するための手段】
【０００６】
前記従来の課題を解決するために、本発明の換気扇連動ガス遮断装置は、換気信号受信手段からの出力によって換気手段の換気量を制御する換気扇制御手段を備えた換気扇と、ガスを検出する検出手段と複数の検出閾値を備えるとともに検出レベルがそれぞれの閾値以上あるいは閾値未満になるとレベルに応じた信号を出力する検出信号送信手段を備えた警報器と、ガスの供給や遮断を行う遮断手段と、警報器からの信号を入力する検出信号受信手段と、検出信号受信手段からの出力信号を処理する制御手段と、換気扇に信号を出力する換気信号送信手段と、流量を検出する流量検出手段を備えるとともに、制御手段は、検出信号受信手段からの出力を入力すると換気信号送信手段に信号を出力し、換気扇を動作させ、検出信号受信手段からの出力信号に応じて換気扇の換気量を決定し、換気信号送信手段に信号を出力し、換気扇の換気量を切り換え、流量検出手段により検出した流量が所定値以上の場合、決定した換気量よりも増やした換気量で換気扇を動作させるために換気信号送信手段に信号を出力し換気扇の換気量を切り換えるとともに、警報器からの出力信号が警報レベルの場合には遮断手段に信号を出力しガスを遮断するとともに、換気信号送信手段に信号を出力し、換気扇を最大換気量で動作させ、ガス遮断以降に警報器からの出力信号が換気扇停止レベルの場合には換気信号送信手段に信号を出力し換気扇を停止させる構成としたものである。
【０００７】
上記発明によれば、警報レベルに至る前であっても、換気扇を動作させることができ、流量を検出して大流量の場合には換気量を上げることにより安全性を高めることができる
。
【発明の効果】
【０００８】
本発明の換気扇連動ガス遮断装置は、警報器からの警報レベルと流量検出手段からの流量に基づいて換気手段の換気量を制御するようにしたもので、警報レベルに至るまでの低濃度の状態でも換気扇を動作させて安全性を高めることができる。
【発明を実施するための最良の形態】
【０００９】
第１の発明は、換気信号受信手段からの出力によって換気手段の換気量を制御する換気扇制御手段を備えた換気扇と、ガスを検出する検出手段と複数の検出閾値を備えるとともに検出レベルがそれぞれの閾値以上あるいは閾値未満になるとレベルに応じた信号を出力する検出信号送信手段を備えた警報器と、ガスの供給や遮断を行う遮断手段と、前記警報器からの信号を入力する検出信号受信手段と、前記検出信号受信手段からの出力信号を処理する制御手段と、前記換気扇に信号を出力する換気信号送信手段と、流量を検出する流量検出手段を備えるとともに、前記制御手段は、前記検出信号受信手段からの出力を入力すると前記換気信号送信手段に信号を出力し、前記換気扇を動作させることを特徴としたものである。
【００１０】
これにより、警報レベルに至るまでの低濃度の状態でも換気扇を動作させて安全性を高めることができる。
【００１１】
第２の発明は、特に、第１の発明の制御手段を、前記検出信号受信手段からの出力信号に応じて前記換気扇の換気量を決定し、前記換気信号送信手段に信号を出力し、前記換気扇の換気量を切り換えることを特徴としたものである。
【００１２】
これにより、検出したガスの濃度に応じた換気量を確保することができる。
【００１３】
第３の発明は、特に、第１の発明の制御手段を、前記検出信号受信手段からの出力信号に応じて前記換気扇の換気量を仮決定するとともに、前記流量検出手段により検出した流量が所定値以上の場合には仮決定したものよりも増やした換気量を本決定し、前記換気信号送信手段に信号を出力して、前記換気扇の換気量を切り換える構成にしたことを特徴としたものである。
【００１４】
これにより、大型器具使用時などでガス発生スピードが早い場合でも換気量を増やすことにより安全性を高めることができる。
【００１５】
第４の発明は、特に、第１の発明の制御手段を、前記検出信号受信手段からの出力信号が警報レベルの場合には前記遮断手段に信号を出力しガスを遮断するとともに、前記換気信号送信手段に信号を出力し、前記換気扇を最大換気量で動作させる構成にしたことを特徴としたものである。
【００１６】
これにより、高濃度時にガスを遮断するとともに最大換気量で換気扇を動作させて安全性を高めることができる。
【００１７】
第５の発明は、特に第１の発明の制御手段を、ガス遮断以降に前記検出信号受信手段からの出力信号が換気扇停止レベルになるまでは前記換気信号送信手段に信号を出力せず、前記検出信号受信手段からの出力信号が換気扇停止レベルの場合には前記換気信号送信手段に信号を出力し前記換気扇を停止させる構成にしたことを特徴としたものである。
【００１８】
これにより、ガス遮断以降に濃度が安全レベルになるまでは遮断時の最大換気量を継続
し確実に換気することができる。
【００１９】
第６の発明は、第１から第５のいずれか１つの発明に記載のガス遮断装置の全てもしくは一部として、コンピュータを機能させるプログラムである。そして、プログラムであるので汎用コンピュータやサーバーを用いて本発明のプログラムの少なくとも一部を容易に実現できる。また記録媒体に記録したり通信回線を用いてプログラムを配信したりすることでプログラムの配布やインストール作業が簡単にできる。
【００２０】
本発明は、第１の発明から第５の発明の要部を実施の形態とすることにより本発明の目的を達成できるので、各請求項に対応する実施の形態の詳細を、以下に図面を参照しながら説明し、本発明を実施するための最良の形態の説明とする。なお、本実施の形態によって本発明が限定されるものではない。また、各実施の形態の説明において、同一構成並びに同一作用効果を奏するところには、同一符号を付して重複した説明を行わないものとする。
【００２１】
（実施の形態１）
図１は、本発明の実施の形態１における換気扇連動ガス遮断装置のブロック図で、図２は同換気扇連動ガス遮断装置の動作を示すフローチャートである。
【００２２】
図１において、ガス遮断装置１の検出信号受信手段５は警報器７から出力を受信し、その内容を制御手段２へ出力する。流量検出手段４はガスの流量を検出し制御手段２へ出力する。マイクロコンピュータおよびその周辺回路からなる制御手段２は、図２に示すステップ（以下、Ｓと表示する）１からＳ２の制御フローを実行するプログラムを格納し、ガスの供給や遮断を行う遮断手段３を制御し、流量検出手段４からの入力により流量を算出したり、換気信号送信手段６へ出力し換気扇１１の換気量を切り換える。換気扇１１はガス遮断装置１からの出力を換気信号受信手段１２で入力し、換気扇制御手段１３は換気信号受信手段１２からの入力により換気を行う換気手段１４を制御する。また、７は警報器で、ガスを検出する検出手段９からの出力により警報器制御手段１６は、検出したレベルに応じた信号を検出信号送信手段８に出力しガス遮断装置１へ送信し、検出手段９が検出したレベルが警報レベル以上の場合には、警報出力手段１０へ出力し報知等を行う。
【００２３】
図２において、制御手段２は、警報器からの受信があったかどうか判定し（Ｓ１）、受信があった場合は換気信号送信手段６に出力し、換気信号送信手段６より換気信号を送信する（Ｓ２）。換気扇１１では換気信号受信手段１２からの出力により、換気扇制御手段１３が換気手段１４を動作させ換気を行う。
【００２４】
以上のように、本実施の形態においては、警報レベルに至るまでの低濃度の状態でも換気扇を動作させて安全性を高めることができる。
【００２５】
（実施の形態２）
図３は、本発明の実施の形態２における換気扇連動ガス遮断装置の換気量選択図で、図４は同換気扇連動ガス遮断装置の動作を示すフローチャートである。本実施の形態は、実施の形態１における図１に示す制御手段２とプログラムのみが異なるだけで、換気扇連動ガス遮断装置のブロック図は図１と同一である。すなわち、制御手段２は図４に示すＳ３からＳ９の制御フローを実行するプログラムを格納したものである。
【００２６】
図３は、制御手段２が、警報器７から検出信号受信手段５が受信したレベルに応じた換気量とする換気出力を換気信号送信手段６に出力するためのものである。
【００２７】
図４において、制御手段２は、警報器からの受信があったかどうか判定し（Ｓ３）、受
信があった場合は検出信号受信手段５が受信したレベルがレベルＡかどうか判定し（Ｓ４）、受信レベルがレベルＡでない場合はＳ６へ進む。Ｓ５では換気量ａと決定し、Ｓ９へ進む。Ｓ６では検出信号受信手段５が受信したレベルがレベルＢかどうか判定し、受信レベルがレベルＢでない場合はＳ８へ進む。Ｓ７では換気量ｂと決定し、Ｓ９へ進む。Ｓ８では換気量ｃと決定し、Ｓ９へ進む。Ｓ９ではＳ５、Ｓ７、Ｓ８で決定した換気量の換気信号を換気信号送信手段６に出力し、換気信号送信手段６より換気信号を送信する。換気扇１１では換気信号受信手段１２からの出力により、換気扇制御手段１３が換気手段１４を動作させ換気量を切り換える。
【００２８】
以上のように、本実施の形態においては、検出したガスの濃度に応じた換気量を確保することができる。
【００２９】
（実施の形態３）
図５は、本発明の実施の形態３における換気扇連動ガス遮断装置の換気量選択図で、図６は同換気扇連動ガス遮断装置の動作を示すフローチャートである。本実施の形態は、実施の形態１における図１に示す制御手段２とプログラムのみが異なるだけで、換気扇連動ガス遮断装置のブロック図は図１と同一である。すなわち、制御手段２は図６に示すＳ１０からＳ２３の制御フローを実行するプログラムを格納したものである。
【００３０】
図５は、制御手段２が、警報器７から検出信号受信手段５が受信したレベル及び流量検出手段４が検出した流量に応じた換気量とする換気出力を換気信号送信手段６に出力するためのものである。
【００３１】
図６において、制御手段２は、警報器からの受信があったかどうか判定し（Ｓ１０）、受信があった場合は検出信号受信手段５が受信したレベルがレベルＡかどうか判定し（Ｓ１１）、受信レベルがレベルＡでない場合はＳ１３へ進む。Ｓ１２では換気量ａと仮決定し、Ｓ１６へ進む。Ｓ１３では検出信号受信手段５が受信したレベルがレベルＢかどうか判定し、受信レベルがレベルＢでない場合はＳ１５へ進む。Ｓ１４では換気量ｂと仮決定し、Ｓ１６へ進む。Ｓ１５では換気量ｃと仮決定し、Ｓ１６へ進む。Ｓ１６では流量検出手段４が検出した流量が所定値以上であるかどうか判定し、所定値以上でない場合はＳ２２へ進む。Ｓ１７では仮決定した換気量が換気量ａであるかどうか判定し、換気量ａでない場合はＳ１９へ進む。Ｓ１８では換気量ｂと決定し、Ｓ２３へ進む。Ｓ１９では仮決定した換気量が換気量ｂであるかどうか判定し、換気量ｂでない場合はＳ２１へ進む。Ｓ２０では換気量ｃと決定し、Ｓ２３へ進む。Ｓ２１では換気量ｄと決定し、Ｓ２３へ進む。Ｓ２２ではＳ１２、Ｓ１４、Ｓ１５で仮決定した換気量に決定しＳ２３へ進む。Ｓ２３ではＳ１８、Ｓ２０、Ｓ２１、Ｓ２２で決定した換気量の換気信号を換気信号送信手段６に出力し、換気信号送信手段６より換気信号を送信する。換気扇１１では換気信号受信手段１２からの出力により、換気扇制御手段１３が換気手段１４を動作させ換気量を切り換える。
【００３２】
以上のように、本実施の形態においては、大型器具使用時などでガス発生スピードが早い場合でも換気量を増やすことにより安全性を高めることができる。
【００３３】
（実施の形態４）
図７は、本発明の実施の形態４における換気扇連動ガス遮断装置の動作を示すフローチャートである。本実施の形態は、実施の形態１における図１に示す制御手段２とプログラムのみが異なるだけで、換気扇連動ガス遮断装置のブロック図は図１と同一である。すなわち、制御手段２は図７に示すＳ２４からＳ２７の制御フローを実行するプログラムを格納したものである。
【００３４】
図７において、制御手段２は、警報器からの受信があったかどうか判定し（Ｓ２４）、受信があった場合は検出信号受信手段５が受信したレベルが警報レベルかどうか判定し（Ｓ２５）、受信レベルが警報レベルの場合は遮断手段３へ遮断信号を出力し（Ｓ２６）、ガスを遮断する。Ｓ２７では最大換気量の換気信号を換気信号送信手段６に出力し、換気信号送信手段６より換気信号を送信する。換気扇１１では換気信号受信手段１２からの出力により、換気扇制御手段１３が換気手段１４を動作させ最大換気量に切り換える。
【００３５】
以上のように、本実施の形態においては、高濃度時にガスを遮断するとともに最大換気量で換気扇を動作させて安全性を高めることができる。
【００３６】
（実施の形態５）
図８は、本発明の実施の形態５における換気扇連動ガス遮断装置の動作を示すフローチャートである。本実施の形態は、実施の形態１における図１に示す制御手段２とプログラムのみが異なるだけで、換気扇連動ガス遮断装置のブロック図は図１と同一である。すなわち、制御手段２は図８に示すＳ２８からＳ３１の制御フローを実行するプログラムを格納したものである。
【００３７】
図８において、制御手段２は、遮断中かどうか判定し（Ｓ２８）、遮断中の場合は警報器からの受信があったかどうか判定し（Ｓ２９）、受信があった場合は検出信号受信手段５が受信したレベルが換気扇停止レベルかどうか判定し（Ｓ３０）、受信レベルが換気扇停止レベルの場合は、換気扇停止の換気信号を換気信号送信手段６に出力し、換気信号送信手段６より換気扇停止の換気信号を送信する。換気扇１１では換気信号受信手段１２からの出力により、換気扇制御手段１３が換気手段１４を停止させる。
【００３８】
以上のように、本実施の形態においては、ガス遮断以降に濃度が安全レベルになるまでは遮断時の最大換気量を継続し確実に換気することができる。
【００３９】
なお、上記各実施の形態においては制御手段に格納してあるプログラムでマイクロコンピュータを機能させて制御フローを実行しているが、プログラムに代えハードを以って実行することも可能である。また、ガス遮断装置、換気扇、警報器の各信号の伝達方式として、有線方式、無線方式、あるいは有線及び無線方式の組み合わせのいずれにおいても適用できる。
【産業上の利用可能性】
【００４０】
以上のように、本発明にかかる換気扇連動ガス遮断装置は、ガス遮断装置、換気扇、警報器の各信号の伝達により実現できることから、各信号を中継箇所に集中し制御する方式にも適用できる。
【図面の簡単な説明】
【００４１】
【図１】本発明の実施の形態１〜５における換気扇連動ガス遮断装置のブロック図
【図２】本発明の実施の形態１における換気扇連動ガス遮断装置の動作を示すフローチャート
【図３】本発明の実施の形態２における換気扇連動ガス遮断装置の換気量選択図
【図４】本発明の実施の形態２における換気扇連動ガス遮断装置の動作を示すフローチャート
【図５】本発明の実施の形態３における換気扇連動ガス遮断装置の換気量選択図
【図６】本発明の実施の形態３における換気扇連動ガス遮断装置の動作を示すフローチャート
【図７】本発明の実施の形態４における換気扇連動ガス遮断装置の動作を示すフローチャート
【図８】本発明の実施の形態５における換気扇連動ガス遮断装置の動作を示すフローチャート
【図９】従来の換気扇連動ガス遮断装置のブロック図
【符号の説明】
【００４２】
１  ガス遮断装置
２  制御手段
３  遮断手段
４  流量検出手段
５  検出信号受信手段
６  換気信号送信手段
７  警報器
８  検出信号送信手段
９  検出手段
１０  警報出力手段
１１  換気扇
１２  換気信号受信手段
１３  換気扇制御手段
１４  換気手段
１５  動作選択手段
１６  警報器制御手段
【図１】
2008232584.tif 000003
【図２】
2008232584.tif 000004
【図３】
2008232584.tif 000005
【図４】
2008232584.tif 000006
【図５】
2008232584.tif 000007
【図６】
2008232584.tif 000008
【図７】
2008232584.tif 000009
【図８】
2008232584.tif 000010
【図９】
2008232584.tif 000011